(57)【要約】【課題】ホワイトスポット、ブラックドットとしてのディフェクトを良好に検出する。【解決手段】  光ディスク等の再生ＲＦ信号（情報信号）に含まれる、ホワイトスポットによる反射率の高い方向へのピークと、ブラックドットによる反射率の低いピークなどのディフェクトを、低域遮断することにより、再生ＲＦ信号の中心に持ってくるようにする。そしてヒステリシス・コンパレータにより２値化する（ＣＰ１，ＣＰ２）。そのコンパレータのコンプリメンタリ出力をそれぞれピークホールド回路に入力し、ピークホールド回路の時定数により時間の長いパルス（ＰＫ１，ＰＫ２）を次段のコンパレータで２値化して検出する（Ｓ１，Ｓ２）。これら、コンパレータの出力の論理演算により（ディフェクトの部分が”Low active”ならＡＮＤ（論理積）、”High active”ならＯＲ（論理和）をとる）ディフェクト信号ＤＦを生成する。【選択図】      図３
2006012201.tif 000002
【特許請求の範囲】
【請求項１】
記録媒体から情報信号を読み出す読出手段と、
上記読出手段で読み出された情報信号に対して情報再生のための信号処理を行う再生処理手段と、
上記読出手段で読み出された情報信号から欠陥検出信号を生成する欠陥検出手段と、
上記欠陥検出手段で生成された欠陥検出信号に応じて、上記再生処理手段での信号処理動作を制御する制御手段とを備え、
上記欠陥検出手段は、
上記情報信号の低域成分を遮断して上記情報信号における欠陥信号部分のレベルを、情報信号の略振幅中心レベルとするフィルタ手段と、
上記フィルタ手段の出力を２値化する２値化手段と、
上記２値化手段の出力についてピーク検波を行うピーク検波手段と、
上記ピーク検波手段の出力を２値化して欠陥検出信号を得る欠陥検出信号生成手段と、
を備えて成ることを特徴とする再生装置。
【請求項２】
上記２値化手段は、ヒステリシスコンパレータから成り、そのコンプリメンタリ出力としての２系統の２値化信号を出力するとともに、
上記ピーク検波手段は、上記２系統の２値化信号にそれぞれ対応して設けられ、
上記欠陥検出信号生成手段は、上記２系統のピーク検波手段の出力をそれぞれ２値化したうえで、その各２値化信号の論理演算により、欠陥検出信号を生成することを特徴とする請求項１に記載の再生装置。
【請求項３】
記録媒体から読み出された情報信号の低域成分を遮断して上記情報信号における欠陥信号部分のレベルを、情報信号の略振幅中心レベルとするフィルタ手段と、
上記フィルタ手段の出力を２値化する２値化手段と、
上記２値化手段の出力についてピーク検波を行うピーク検波手段と、
上記ピーク検波手段の出力を２値化して欠陥検出信号を得る欠陥検出信号生成手段と、
を備えて成ることを特徴とする欠陥検出装置。
【請求項４】
上記２値化手段は、ヒステリシスコンパレータから成り、そのコンプリメンタリ出力としての２系統の２値化信号を出力するとともに、
上記ピーク検波手段は、上記２系統の２値化信号にそれぞれ対応して設けられ、
上記欠陥検出信号生成手段は、上記２系統のピーク検波手段の出力をそれぞれ２値化したうえで、その各２値化信号の論理演算により、欠陥検出信号を生成することを特徴とする請求項３に記載の欠陥検出装置。
【請求項５】
記録媒体から読み出された情報信号の低域成分を遮断して上記情報信号における欠陥信号部分のレベルを、情報信号の略振幅中心レベルとするフィルタ処理ステップと、
上記フィルタ処理ステップで得られた出力を２値化する２値化ステップと、
上記２値化ステップで得られた出力についてピーク検波を行うピーク検波ステップと、
上記ピーク検波ステップで得られた出力を２値化して欠陥検出信号を得る欠陥検出信号生成ステップと、
を備えることを特徴とする欠陥検出方法。
【発明の詳細な説明】
【技術分野】
【０００１】
本発明は、記録媒体から読み出される信号上に現れる欠陥（ディフェクト）を検出する欠陥検出装置、欠陥検出方法、及び欠陥検出装置を有する再生装置に関するものである。
【背景技術】
【０００２】
【特許文献１】特開平１−９２９７２号公報
【０００３】
デジタルデータを記録・再生するための技術として、例えば、ＣＤ（Compact Disk），ＭＤ（Mini-Disk），ＤＶＤ（Digital Versatile Disk）などの、光ディスク（光磁気ディスクを含む）を記録メディアに用いたデータ記録技術がある。光ディスクとは、金属薄板をプラスチックで保護した円盤に、レーザ光を照射し、その反射光の変化で信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はライトワンス記録方式とも呼ばれ、一度だけデータ記録が可能で書換不能であるため、データ保存用途などに好適とされる。一方、光磁気記録方式や相変化記録方式は、データの書換が可能であり音楽、映像、ゲーム、アプリケーションプログラム等の各種コンテンツデータの記録を始めとして各種用途に利用される。
更に近年、ブルーレイディスク（Blu-Ray Disc）と呼ばれる高密度光ディスクが開発され、著しい大容量化が図られている。
【０００４】
これらの光ディスクに対する記録再生システムでは、ディスク上の傷、汚れ、記録膜の不良、その他の欠陥（ディフェクト）を検出し、これらの影響によって記録再生動作が不安定と成らないように所定の対処動作を行うことが、従来より行われている。
光ディスクの再生ＲＦ信号波形には、ホワイトスポットと呼ばれる反射率の高いピークやブラックドットと呼ばれる反射率の低いピークが含まれることがあり、一般的に、これらを総称してディフェクトと呼ぶ。
ディフェクト検出のための回路構成は、例えば上記特許文献１などにおいて開示されている。
【０００５】
ディフェクト検出方式としては、ディスクから読み出された再生ＲＦ信号に対してトップホールドとボトムホールドを行い、その差を取り、エンベロープの小さくなった部分を２値化するという回路が考えられる。図４にその方式のディフェクト検出装置の構成例を示す。また図５にその動作波形を示す。
図４に示すディフェクト検出装置では、バッファ３２，トップピークホールド回路３３，ボトムピークホールド回路３４，減算器３５，コンパレータ３７，基準電圧源３６を備える。
【０００６】
端子３１に入力されるＲＦ信号は、バッファ３２を介してトップピークホールド回路３３及びボトムピークホールド回路３４に供給される。
入力されるＲＦ信号を図５（ａ）に示している。なお、簡単のため、再生ＲＦ信号を単一キャリアとして表記している。そしてこのＲＦ信号では、ブラックドットと呼ばれるディフェクト部分、即ちＲＦ信号の一部が無信号になった部分が含まれているとする。
このＲＦ信号についてトップピークホールド回路３３で、トップピークホールドされることで図５（ｂ）に実線で示すトップホールド信号ＴＰが得られる。また、ボトムピークホールド回路３４でボトムピークホールドされることで、同じく図５（ｂ）に破線で示すボトムホールド信号ＢＴが得られる。
このトップホールド信号ＴＰ、ボトムホールド信号ＢＴは、減算器３５で（ＴＰ−ＢＴ）の減算が行われ、図５（ｃ）の減算結果信号Ｓｄとされる。
コンパレータ３７には、基準電圧源３６から比較基準電圧Ｔｈが供給されており、減算結果信号Ｓｄを比較基準電圧Ｔｈと比較する。このコンパレータ３７での比較結果としての２値化信号が、図５（ｄ）のディフェクト信号ＤＦとされ、端子３８から出力される。
即ち、上記減算結果信号Ｓｄは、再生ＲＦ信号の振幅を示す信号となるので、そのレベルがある閾値（比較基準電圧Ｔｈ）以下となるもの(例えば、通常の再生ＲＦ信号の１／２以下）をディフェクトとして、ディフェクト信号ＤＦを出力するものである。なお、この例のディフェクト信号ＤＦはロウアクティブ（low active）としている。
【発明の開示】
【発明が解決しようとする課題】
【０００７】
上記図４のディフェクト検出装置によれば、いわゆるブラックドットとしてのディフェクト検出を良好に行うことができる。
ところが、ディフェクトにはホワイトスポットと呼ばれるものもある。例えばディスクの記録膜の成形不良や剥離などにより部分的にミラー面が表出すると、局所的に反射光量が大きくなる。このホワイトスポットと呼ばれるディフェクトが存在すると、図６（ａ）のＲＦ信号に示すように、ＲＦ信号レベルが部分的に極大化する。
【０００８】
このようにホワイトスポットが存在した場合、図４のディフェクト検出装置では正しくディフェクト検出できない。
図６（ａ）のＲＦ信号は、トップピークホールド回路３３でトップピークホールドされるが、ここでトップピークホールド動作は、その充電側時定数はプラス側の変動には十分追従するが、放電側時定数は回路のエンベロープを検出するという性質上マイナス側にはすばやく追従できない。このため出力されるトップホールド信号ＴＰは図６（ｂ）の実線のようになる。
またＲＦ信号をボトムピークホールドするボトムピークホールド回路３４では、充電側時定数はマイナス側の変動には十分追従するが、放電側時定数は回路のエンベロープを検出するという性質上プラス側にはすばやく追従できないため、出力されるボトムホールド信号ＢＴは図６（ｂ）の破線のようになる。
つまり、変動の大きな振幅に対してピークホールド回路３３，３４は追従できずにホワイトスポットに対して図６（ｂ）のようなトップホールド信号ＴＰ、ボトムホールド信号ＢＴを出力してしまい、減算器３５の出力である減算結果信号Ｓｄは図６（ｃ）のように、コンパレータ３７の閾値である比較基準電圧Ｔｈを下回わらない状態となる。この結果、ディフェクト信号ＤＦはＨレベルのままであり、つまり、ディフェクト検出ができないものとなる。
【０００９】
また、この図４の構成において、入力されるＲＦ信号をＨＰＦ（ハイパスフィルタ）を通したとしても、ＲＦ信号の信号区間からディフェクト区間への変わり目と、ディフェクト区間から信号区間の変わり目にピークが出るため、安定したディフェクト検出はできない。
【課題を解決するための手段】
【００１０】
本発明はこのような問題に鑑みて、ブラックドット、ホワイトスポットに限らず、簡易な構成で適正にディフェクト検出できるようにすることを目的とする。
【００１１】
本発明の再生装置は、記録媒体から情報信号を読み出す読出手段と、上記読出手段で読み出された情報信号に対して情報再生のための信号処理を行う再生処理手段と、上記読出手段で読み出された情報信号から欠陥検出信号を生成する欠陥検出手段と、上記欠陥検出手段で生成された欠陥検出信号に応じて、上記再生処理手段での信号処理動作を制御する制御手段とを備える。
そして上記欠陥検出手段は、本発明の欠陥検出装置であり、上記情報信号の低域成分を遮断して上記情報信号における欠陥信号部分のレベルを、情報信号の略振幅中心レベルとするフィルタ手段と、上記フィルタ手段の出力を２値化する２値化手段と、上記２値化手段の出力についてピーク検波を行うピーク検波手段と、上記ピーク検波手段の出力を２値化して欠陥検出信号を得る欠陥検出信号生成手段とを備えて成る。
また、上記２値化手段は、ヒステリシスコンパレータから成り、そのコンプリメンタリ出力としての２系統の２値化信号を出力するとともに、上記ピーク検波手段は、上記２系統の２値化信号にそれぞれ対応して設けられ、上記欠陥検出信号生成手段は、上記２系統のピーク検波手段の出力をそれぞれ２値化したうえで、その各２値化信号の論理演算により、欠陥検出信号を生成する。
本発明の欠陥検出方法は、記録媒体から読み出された情報信号の低域成分を遮断して上記情報信号における欠陥信号部分のレベルを、情報信号の略振幅中心レベルとするフィルタ処理ステップと、上記フィルタ処理ステップで得られた出力を２値化する２値化ステップと、上記２値化ステップで得られた出力についてピーク検波を行うピーク検波ステップと、上記ピーク検波ステップで得られた出力を２値化して欠陥検出信号を得る欠陥検出信号生成ステップとを備える。
【００１２】
即ち本発明では、光ディスク等の再生ＲＦ信号（情報信号）に含まれる、ホワイトスポットによる反射率の高い方向へのピークと、ブラックドットによる反射率の低いピークなどのディフェクトを、低域遮断することにより、再生ＲＦ信号の中心に持ってくるようにする。その上で２値化してピーク検波し、ピーク検波出力を２値化して欠陥検出信号（ディフェクト信号）を得る。
特には、低域遮断した再生ＲＦ信号については、その再生ＲＦ信号の振幅の中点近辺の２つの閾値を設定したヒステリシス・コンパレータにより、２値化する。そのヒステリシスコンパレータのコンプリメンタリ出力をそれぞれピークホールド回路に入力し、ピークホールド回路の時定数により時間の長いパルスを、それぞれ次段のコンパレータで２値化して検出する。そして、これらコンパレータの出力を重ね合わせて（ディフェクトの部分が”Low active”ならＡＮＤ（論理積）、”High active”ならＯＲ（論理和）をとる）ディフェクトパルスを生成する。
【発明の効果】
【００１３】
本発明の欠陥検出装置、欠陥検出方法によれば、ブラックドット、ホワイトスポットに関わらず、情報信号（再生ＲＦ信号）から良好にディフェクト検出を行うことができるという効果がある。
そしてまた本発明の再生装置では、正確にディフェクト検出を実行できるため、ディフェクトに対処した処理を適正に行うことができ、再生性能を向上させることができる。
【発明を実施するための最良の形態】
【００１４】
以下、本発明の実施の形態を説明する。
図１は実施の形態の光ディスク再生装置の再生系のブロック図である。ディスク１は、図示しないターンテーブルに積載され、再生動作時においてスピンドルモータ２によって一定線速度（ＣＬＶ）又は一定角速度（ＣＡＶ）で回転駆動される。
そして光学ピックアップ（光学ヘッド）３によってディスク１に対してレーザ光が照射され、その反射光が検出されることで、ディスク１に記録されている情報が読み取られる。例えばディスク１がエンボスピットにより情報が記録された再生専用ディスクの場合は、そのエンボスピット列に対する反射光情報が検出される。また、ディスク１がリライタブルディスク、或いはライトワンスディスクなどの記録可能ディスクである場合、記録トラックに記録された相変化ピットマーク、或いは色素変化ピットマークなどとして記録された情報が、反射光情報として検出される。
また、リライタブルディスク、ライトワンスディスクでは、記録トラックとしてウォブリンググルーブが形成され、そのウォブリンググルーブによりアドレス情報等が記録されているが、そのアドレス情報等の抽出のため、グルーブのウォブリングに係る反射光情報も検出される。
【００１５】
ピックアップ３内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。例えばディスク１としてブルーレイディスクを用いるシステムの場合、レーザダイオードは、例えば波長４０５ｎｍのいわゆる青色レーザを出力するものとされ、また光学系によるＮＡは０．８５とされる。
【００１６】
ディスク１からの反射光情報はフォトディテクタによって検出され、受光光量に応じた電気信号とされてマトリクス回路４に供給される。
マトリクス回路４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生ＲＦ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
フォーカスエラー信号及びトラッキングエラー信号は図示しないサーボ処理回路系へ、またプッシュプル信号は図示しないウォブル信号処理系へ、それぞれ供給される。
【００１７】
図１には、マトリクス回路４から出力される再生ＲＦ信号に対して信号処理を行う再生系を示している。
再生ＲＦ信号は、まずクランプ回路５によって不必要な直流成分を除くためのクランプ処理が行われる。またＡＧＣ（Auto Gain Control）回路６によりＡＧＣ処理されて振幅レベルが調整され、さらに、イコライザ７により所定の周波数特性になるようにイコライズされる。
このように処理された再生ＲＦ信号は、ＰＬＬ部８に供給されて２値化されるとともに、２値化された再生ＲＦデータＤＴに同期した再生クロックＣＫが生成される。
再生ＲＦデータＤＴ及び再生クロックＣＫはデコーダ９に供給される。デコーダ９は、再生クロックＣＫを用いて再生ＲＦデータＤＴのデコード処理を行う。即ちディスク１での記録データのエンコードフォーマットに対応するデコード処理や、エラー訂正、デインターリーブなどの処理を行い、これにより再生データを復調する。
【００１８】
また、再生ＲＦ信号は、ディフェクト検出回路１２にも供給される。ディフェクト検出回路１２は後述する構成により、ブラックドット、ホワイトスポットを検出するディフェクト信号ＤＦを発生させ、再生系コントローラ１０に供給する。
再生系コントローラ１０は図示する再生系の制御を行う制御部である。またシステムコントローラ１１は、装置全体の制御を行う制御部である。
再生系コントローラ１０は、システムコントローラ１１より再生タイミングゲート信号を受け取り、クランプパルス、ＡＧＣイネーブル信号、ＰＬＬイネーブル信号を出力している。
クランプ回路５は、クランプパルスに従ってクランプ処理を行う。
ＡＧＣ回路６は、ＡＧＣイネーブル信号によりＡＧＣ処理を行うが、再生系コントローラ１０からＡＧＣホールド信号が供給された場合は、ＡＧＣ処理をホールドする。
ＰＬＬ部８は、ＰＬＬイネーブル信号により再生クロック生成を行うが、再生系コントローラ１０からＰＬＬホールド信号が供給されると、ＰＬＬ処理をホールドする。
【００１９】
ディフェクト検出回路１２は、再生ＲＦ信号より、エンベロープの小さくなった部分などをディフェクト区間として検出し、その出力であるディフェクト信号ＤＦを再生系コントローラ１０へ出力するが、再生系コントローラ１０は、ディフェクト信号ＤＦによるディフェクト検出期間において、クランプパルスによりクランプ回路５でクランプさせ、ディフェクトによる、再生ＲＦ信号のレベル段差をとるようにする。
また再生系コントローラ１０は、ディフェクト信号ＤＦによるディフェクト検出期間において、ＡＧＣホールド信号を出力し、ＡＧＣ回路６のＡＧＣ処理をホールドさせることで、不適切なＡＧＣ処理が行われることを防止する。即ち、再生ＲＦ信号のディフェクト部分（無信号部） においてＡＧＣ処理が行われてＡＧＣゲインが最大となるような動作を防止する。
また再生系コントローラ１０は、ディフェクト信号ＤＦによるディフェクト検出期間においてＰＬＬホールド信号を出力し、ＰＬＬ部８のＰＬＬ処理をホールドさせる事で、ディフェクトによりＰＬＬが乱され、再生クロックＣＫが不適切な状態となることを防止する。
【００２０】
例えばこのような再生系を有する再生装置において、本例ではディフェクト検出回路１２の構成に特徴を有するものである。
図２にディフェクト検出回路１２の構成を示し、また図３にその動作波形を示す。
ディフェクト検出回路１２は、ハイパスフィルタ（ＨＰＦ）２２、ヒステリシスコンパレータ２３、トップピークホールド回路２４，２５、コンパレータ２６，２７、アンドゲート２８を有して成る。
【００２１】
端子２１には、マトリクス回路４からの再生ＲＦ信号が入力される。再生ＲＦ信号の波形例を図３（ａ）に示している。この例では簡単のため、再生ＲＦ信号を単一キャリアとして表記している。そしてこの再生ＲＦ信号では、図示するようにホワイトスポット及びブラックドットとしてのディフェクト部分が含まれているものとしている。
入力された再生ＲＦ信号は、ＨＰＦ２２で低域遮断される。このＨＰＦ２２で低域遮断フィルタ処理された信号ＲＦｈを図３（ｂ）に示している。図からわかるように、ＨＰＦ２２によっては、再生ＲＦ信号に含まれる、ホワイトスポット（反射率の高い方向へのピーク）と、ブラックドット（反射率の低いピーク）を、再生ＲＦ信号の中心レベルに持ってくるようにされる。
【００２２】
この信号ＲＦｈがヒステリシスコンパレータ２３に供給される。ヒステリシスコンパレータ２３は、信号ＲＦｈがレベルＬ１を越えることで出力をＨレベルに立ち上げ、また信号ＲＦｈがレベルＬ２を下回ることで、出力をＬレベルとする比較処理を行う。そして、このヒステリシス比較処理により、図３（ｃ）の２値化信号ＣＰ１を出力する。さらにヒステリシスコンパレータ２３はコンプリメンタリ出力として、２値化信号ＣＰ１の反転信号である図３（ｄ）の２値化信号ＣＰ２を出力する。
２値化信号ＣＰ１はトップピークホールド回路２４に供給され、トップピークホールドされることで、図３（ｅ）のピークホールド信号ＰＫ１が得られる。
また２値化信号ＣＰ２はトップピークホールド回路２５に供給され、トップピークホールドされることで、図３（ｆ）のピークホールド信号ＰＫ２が得られる。
【００２３】
トップピークホールド回路２４から出力されるピークホールド信号ＰＫ１は、コンパレータ２６で、図３（ｅ）に示す閾値Ｔｈ１と比較されて再度２値化され、図３（ｇ）の２値化信号Ｓ１が出力される。
またトップピークホールド回路２５から出力されるピークホールド信号ＰＫ２は、コンパレータ２７で、図３（ｆ）に示す閾値Ｔｈ１と比較されて再度２値化され、図３（ｈ）の２値化信号Ｓ２が出力される。
コンパレータ２６，２７での閾値Ｔｈ１のレベルは、ヒステリシスコンパレータ２３の出力の中点レベルとされている。
コンパレータ２６，２７から出力される２値化信号Ｓ１，Ｓ２は、アンドゲート２８で論理積がとられ、それが図３（ｉ）に示すようにアクティブローのディフェクト信号ＤＦとされて端子２９から出力される。
【００２４】
以上の動作からわかるように、２値化信号Ｓ１として、ブラックドットに対するディフェクト検出結果が得られ、また２値化信号Ｓ２としてホワイトスポットに対するディフェクト検出結果が得られる。ローアクティブであるので、これらの論理積であるディフェクト信号ＤＦは、ブラックドット、ホワイトスポットの双方を示す欠陥検出信号となる。
即ち本例では、再生ＲＦ信号に含まれるホワイトスポットによる反射率の高い方向へのピークと、ブラックドットによる反射率の低いピークなどのディフェクトを、低域遮断することにより、再生ＲＦ信号の中心に持ってくる。
そして、再生ＲＦ信号の振幅の中点近辺で２つの閾値を設定したヒステリシスコンパレータ２３により２値化（ＣＰ１，ＣＰ２）する。そのヒステリシスコンパレータ２３のコンプリメンタリ出力をそれぞれトップピークホールド回路２４，２５に入力し、トップピークホールド回路の時定数により時間の長いパルスを次段のコンパレータ２６，２７で２値化して検出する（Ｓ１，Ｓ２）。２値化信号Ｓ１，Ｓ２として検出される時間の長いパルスとは、トップピークホールド回路２４とコンパレータ２６側においては２値化信号ＣＰ１上でのブラックドットの区間のパルスであり、トップピークホールド回路２５とコンパレータ２７側においては２値化信号ＣＰ２上でのホワイトスポットの区間のパルスである。そしてこれら、コンパレータ２６，２７の出力の論理積によりディフェクト信号ＤＦを生成する。
このような動作により、簡易な構成で、ブラックドット、ホワイトスポットに関わらず、良好にディフェクト検出を行うことができる。そして図１の再生装置では、正確にディフェクト検出を実行できるため、ディフェクト検出に対処した処理、つまり上述したようにクランプ、ＡＧＣホールド、ＰＬＬホールドを適正に行うことができ、再生性能を向上させることができる。
【００２５】
なお、本発明としては各種の変形例が考えられる。
図２のディフェクト検出回路１２の構成において、ディフェクト信号ＤＦをハイアクティブの信号とする場合（２値化信号Ｓ１，Ｓ２が、それぞれ図３（ｇ）（ｈ）に対して反転した信号とされる場合）、ディフェクト信号ＤＦは、それら２値化信号Ｓ１，Ｓ２をオアゲートに供給して論理和をとる構成となる。
また、図２ではヒステリシスコンパレータ２３のコンプリメンタリ出力として２値化信号Ｓ１に対して反転された２値化信号Ｓ２を出力する構成としているが、反転信号を用いなくてもよい。即ちトップピークホールド回路２５に代えてボトムピークホールド回路を設け、トップピークホールド回路２４と、ボトムピークホールド回路の両方に２値化信号Ｓ１を供給する構成も考えられる。もちろん、その場合コンパレータ２７の比較処理の正負関係や論理演算は、それに合わせて設計されればよいことは自明である。
【００２６】
また、２値化信号Ｓ１をデジタル回路に入力し、極性の変化しない部分を検出する回路(一定時間信号がトグルしない部分を検出する回路)で実現することも考えられる。
また入力される再生ＲＦ信号をデジタイズして、図２のすべてのブロックをデジタル化して行うことも考えられる。
さらに図２の構成の入力部、つまりＨＰＦ２２の前段にＡＧＣ回路を追加することも考えられる。
また目的の帯域外のノイズが問題である場合は、ＨＰＦ２２に代えてバンドパスフィルタ（ＢＰＦ）を配しても良い。その場合、ＢＰＦの低域遮断周波数は、ＨＰＦ２２と同じとし、高域側の遮断周波数として、帯域外のノイズを遮断できる周波数とする。
【図面の簡単な説明】
【００２７】
【図１】本発明の実施の形態の再生装置の再生系のブロック図である。
【図２】実施の形態のディフェクト検出回路のブロック図である。
【図３】実施の形態のディフェクト検出回路の動作波形の説明図である。
【図４】従来のディフェクト検出装置のブロック図である。
【図５】従来のブラックドットに対するディフェクト検出動作波形の説明図である。
【図６】従来のホワイトスポットに対するディフェクト検出動作波形の説明図である。
【符号の説明】
【００２８】
１  ディスク、３  ピックアップ、４  ＲＦマトリクス回路、５  クランプ回路、６  ＡＧＣ回路、７  イコライザ、８  ＰＬＬ部、９  デコーダ、１０  再生系コントローラ、１１  システムコントローラ、１２  ディフェクト検出回路、２２  ＨＰＦ、２３  ヒステリシスコンパレータ、２４，２５  トップピークホールド回路、２６，２７  コンパレータ、２８  アンドゲート
【図１】
2006012201.tif 000003
【図２】
2006012201.tif 000004
【図３】
2006012201.tif 000005
【図４】
2006012201.tif 000006
【図５】
2006012201.tif 000007
【図６】
2006012201.tif 000008